(57)【要約】      （修正有）【課題】閉止状態では開き戸の外側に施解錠操作用ハンドルのような突出物のない美的外観を得られる一方、開き戸を外側から容易に施解錠することができる開き戸の施解錠機構を提供する。【解決手段】壁面パネル間の目地部ａに外側へ臨む鍵操作用の小穴１０を設け、目地部の内側にロック制御装置Ｒを設置する。ロック制御装置は、設置時に鍵穴３９を鍵操作用小穴に合わせて設けられるピンシリンダ錠１５と、施解錠時は鍵操作用小穴を通してピンシリンダ錠の鍵穴に回転自在に抜き差しする鍵棒２０と、鍵棒を差し込んでピンシリンダ錠内部で正逆方向に回転させると、その回転に連動して開き戸をロックするロック位置又はそのロックを解除するロック解除位置に回動するロックレバー２５を備える。一方、壁体には、ロック制御装置のロックレバーをロック解除位置に回動して開き戸を解錠すると、開き戸を開放方向へ付勢して押し開くプッシュ装置を設置する。【選択図】図１
0003133714.tif 000002
【実用新案登録請求の範囲】
【請求項１】
多数の壁面パネルを貼り付けて面一に構築した壁体の開口部を開閉する開き戸を施解錠するための開き戸の施解錠機構であって、
隣接する前記壁面パネル間の目地部、前記壁面パネル又は前記開き戸に、外側へ臨む鍵操作用の小穴を設け、該小穴を設けた前記目地部、前記壁面パネル又は前記開き戸の内側には、ロック制御装置を設置し、
該ロック制御装置は、その設置時に鍵穴を前記鍵操作用の小穴に合わせて設けられる錠前と、施解錠時は前記鍵操作用の小穴を通して前記錠前の鍵穴に回転自在に抜き差しする鍵棒と、該鍵棒を差し込んで前記錠前内部で正逆方向に回転させると、その回転に連動して前記開き戸をロックするロック位置又はそのロックを解除するロック解除位置に回動するロックレバーと、を備えた構成にする一方、
前記壁体又は前記開き戸には、前記ロック制御装置のロックレバーをロック解除位置に回動して前記開き戸を解錠すると、前記開き戸を開放方向へ付勢して押し開くプッシュ装置を設置してなることを特徴とする、開き戸の施解錠機構。
【考案の詳細な説明】
【技術分野】
【０００１】
本考案は、多数の壁面パネルを貼り付けて面一に形成した壁体の開口部を開閉する開き戸を施解錠するのに好適な開き戸の施解錠機構に関する。
【背景技術】
【０００２】
最近のビル建築物では、多数の金属製壁面パネルを貼り付けて、出っ張りなく一面フラットに室内壁を形成するため、その壁の開口部を開閉する開き戸も、開口部の用途に応じて、例えば設備の点検口のように、一見して壁のように見せたい開き戸の設置箇所では、施解錠操作のドアハンドルのような突起物が表の外側に出っ張らない外観であることが要請されている。そこで、従来の開き戸の施解錠機構の中には、ケースハンドルを用いて扉の表の外側からドアハンドルが大きく突出しないような構造にしたり、配電盤の収納箱の扉のように扉を開ける使用時にドアハンドルを取り付け、その不使用時にはドアハンドルを取り外すようにした構造のものがある（特許文献１参照）。
【特許文献１】特開平９−１００６５７号公報
【考案の開示】
【考案が解決しようとする課題】
【０００３】
しかし、従来、ケースハンドルを用いた例では、扉面からケースハンドル自体の存在が目立ってしまうし、ドアハンドルが着脱式のものでは、扉を開ける際にドアハンドルを引き抜くと、それが抜け落ちてしまう等の課題があった。
【０００４】
そこで、本考案の目的は、閉止状態では開き戸の外側に施解錠操作用ハンドルのような突出物のない美的外観を得られる一方、開き戸を外側から容易に施解錠することができる開き戸の施解錠機構を提供することにある。
【０００５】
そこで、上記目的を達成すべく、請求項１に記載の考案は、たとえば以下に示す図示実施の形態のとおり、多数の壁面パネルｗ１・ｗ２・ｗ３…を貼り付けて面一に構築した壁体Ｗの開口部Ｓを開閉する開き戸Ｄを施解錠するための開き戸の施解錠機構であって、隣接する前記壁面パネルｗ１・ｗ２間の目地部ａ、前記壁面パネル又は前記開き戸に、外側へ臨む鍵操作用の小穴１０を設け、該小穴１０を設けた前記目地部ａ、前記壁面パネル又は前記開き戸の内側には、ロック制御装置Ｒ・Ｒ´を設置し、該ロック制御装置Ｒ・Ｒ´は、その設置時に鍵穴３９を前記鍵操作用の小穴１０に合わせて設けられるピンシリンダ錠１５・５０のような錠前と、施解錠時は該鍵操作用の小穴１０を通して前記錠前の鍵穴３９に回転自在に抜き差しする鍵棒２０と、該鍵棒２０を差し込んで前記錠前内部で正逆方向に回転させると、その回転に連動して前記開き戸Ｄをロックするロック位置又はそのロックを解除するロック解除位置に回動するロックレバー２５・５５と、を備えた構成にする一方、前記壁体Ｗ又は前記開き戸Ｄには、前記ロック制御装置Ｒのロックレバー２５・５５をロック解除位置に回動して前記開き戸Ｄを解錠すると、該開き戸Ｄを開放方向へ付勢して押し開くプッシュ装置Ｐを設置してなることを特徴とする。
【考案の効果】
【０００６】
したがって、上記請求項１に記載の考案によれば、開き戸の外側には、施解錠操作用にハンドル等の突起物が設けられない構成なので、閉止状態において、一見すると壁のように見える開き戸を設置した美的外観を得ることができる。一方で、施解錠時は鍵操作用の小穴を通して鍵棒を鍵穴に差し込んで錠前内部で正逆方向に回動操作すれば、開き戸を外側から容易に施解錠することができる。しかも、鍵棒を鍵穴に差し込んで錠前内で回転させ、ロックレバーをロック解除位置に回動して解錠すれば、同時に開き戸はプッシュ装置により開放方向へ押し開かれ、よって、ハンドル等を使用しなくても、支障なく簡単に開き戸を開けることができる。
【考案を実施するための最良の形態】
【０００７】
以下、図面を参照しつつ、本考案の最良の実施形態について説明する。
【０００８】
図１は、本考案による開き戸の施解錠機構を適用した壁体を、開き戸の閉止状態において示す斜視図である。図２（Ａ）は、壁体を開き戸の閉止状態において示す平面図、同図（Ｂ）は開状態において示す平面図である。壁体Ｗは、たとえば多数のスチール製壁面パネルｗ１・ｗ２・ｗ３…を貼り付けて面一に構築した室内壁で、中間の壁面パネルｗ２に、たとえば室内設備の点検口となる開口部Ｓを開閉する、開き戸Ｄを組み付けてなる。さらに、壁体Ｗは、隣接する壁面パネル間に、パネル相互を接続して支持する鉛直な間柱Ｐを備え、これら間柱１４の外側（図中手前側）には、壁面パネル相互の継目に幅約６ｍｍ〜８ｍｍの立て目地が形成されている。
【０００９】
そこで、図示例の開き戸の施解錠機構では、壁体Ｗの立て目地の中で、特に壁面パネルｗ１と開き戸Ｄ間の目地部ａに外側へ向けて臨む丸い鍵操作用の小穴１０を設けている。一方、間柱１４の内側（図中奥側）には、当該小穴１０を開けた高さ位置にロック制御装置Ｒを設置すると共に、ロック制御装置Ｒの上側と下方の床面寄りに、それぞれプッシュ装置Ｐを設置している。
【００１０】
開き戸Ｄは、片側側縁１１ａにＬ板状に屈曲したレバー係止部１２を設け、閉止状態において、開口部Ｓに収まって壁体Ｗと面一になるように、他側側縁１１ｂ側の間柱１４に蝶番１３により開閉自在に取り付けられている。そのため、蝶番１３は、それが開き戸Ｄと壁面パネルｗ３間の目地部ｂから外側へ出っ張らないように、開き戸Ｄの他側側縁１１ｂと間柱１４間の隙間に収まるように取り付けて内設している。
【００１１】
ロック制御装置Ｒは、図３〜図６に示すように、取付ケースｍと、取付ケースｍに組み付けるロック構成部品ｎとを備え、ロック構成部品ｎには、錠前としてのピンシリンダ錠１５と、ピンシリンダ錠１５の鍵穴に抜き差して回動操作する専用の鍵棒２０と、開き戸Ｄの開閉をロックするロックレバー２５と、このロックレバー２５とピンシリンダ錠１５間で回転を伝達する回転伝達手段３０とを有する。
【００１２】
取付ケースｍは、金属板を曲げ成形した２つの支持プレート１６とカバープレート１７を備え、薄箱形のギヤ収納部１８と細長角筒形の軸収納部１９が形成されるように組み立ててなる。
【００１３】
ピンシリンダ錠１５は、図７に示すように、鍵棒２０を用いて、円筒本体１５ａ内の複数本のピンタンブラー２１を動かしてプラグ２２を回し、プラグ２２に同軸に回転自在に内挿した円柱状の錠軸２３を回動する錠前構造になっている。錠軸２３は、先端部２３ａを、図３に示すように、円柱形でなく、回転伝達用に周面の一部が平面の異形に形成してなる。回転伝達手段３０は、第１ギヤ２４および第２ギヤ２６と、回転軸２７を備える。第１ギヤ２４は、ギヤ中心穴２４ａを、丸穴でなく、錠軸２３の先端部２３ａに合わせた異形な穴形状に形成している。そこで、ピンシリンダ錠１５は、図５に示すように、錠軸２３の先端部２３ａをギヤ中心穴２４ａに係合させて第１ギヤ２４を連結し、この第１ギヤ２４が取付ケースｍのギヤ収納部１８内に収納状態で、支持プレート１６上に立設してなる。
【００１４】
さらに、回転伝達手段３０において、第２ギヤ２６は、図３に示すように、片側板面上に、ギヤ中心穴２６ａと同心に十字状のカム凹部２６ｂを形成している。回転軸２７は、細軸２８と、細軸２８の先端部２８ａを嵌合する一段太径な円筒軸２９とからなる。細軸２８は、先端部２８ａを角軸状に形成する一方、円筒軸２９は、細軸２８の先端部２８ａに合わせて角筒状に開けた連結穴２９ａを有すると共に、軸先端にはレバー連結突部２９ｂを突設してなる。そこで、回転軸２７は、細軸２８の先端部２８ａを円筒軸２９の連結穴２９ａに嵌合し、円筒軸２９に細軸２８を軸方向にスライド可能に連結する一方、細軸２８の基端部２８ｂをギヤ中心穴２６ａに通して第２ギヤ２６を連結する。そして、回転軸２７は、図５および図６に示すように、ギヤ収納部１８内で第２ギヤ２６を第１ギヤ２４に噛み合わせて、ピンシリンダ錠１５と平行に取付ケースｍに立設する。
【００１５】
さらに、回転軸２７は、一方で、円筒軸２９のレバー連結突部２９ｂを、取付ケースｍの支持プレート１６から外部へ突出し、支持プレート１６上でレバー連結突部２９ｂにロックレバー２５を固持してなる。他方で、回転軸２７は、カバープレート１７から外部へ突出させた細軸２８の基端部２８ｂに、レバー操作用つまみ３５を固着している。レバー操作用つまみ３５は、つまみ本体３５ａとカム凸部３５ｂとからなっている。カム凸部３５ｂは、第２ギヤ２６のカム凹部２６ｂに合わせて、それに嵌め込み可能な凸形状に形成してなる。そこで、回転軸２７は、図６に示すように、細軸２８に、圧縮コイルばね３１をばね止めリング３２と支持プレート１６間で挟持して巻装し、細軸２８を、レバー操作用つまみ３５と一体に円筒軸２９側へ向けて常時ばね付勢し、カム凸部３５ｂを第２ギヤ２６のカム凹部２６ｂに嵌め込んでなる。
【００１６】
ロック制御装置Ｒにおいて、専用の鍵棒２０は、図３に示すように軸部２０ａが上記目地部ａ内で軸回転可能なほどに細径な丸軸状で、軸部２０ａの先端２０ｂをピンシリンダ錠１５の内部の鍵違い構造に対応する合鍵形状に成形してなる。
【００１７】
従って、ロック制御装置Ｒでは、この専用の鍵棒２０を、図６および図７に示すように、鍵穴３９に差し込んでピンシリンダ錠１５内で正方向へ９０度回転すると、ピンタンブラー２１が動いてプラグ２２が錠軸２３と一体に回動する。すると、錠軸２３の回転を、第１ギヤ２４と第２ギヤ２６の噛み合いを介して回転軸２７へ伝達してロックレバー２５をロック位置に回動する構造になっている。反対に、鍵棒２０をピンシリンダ錠１５内で逆方向へ９０度回転させると、同様にピンタンブラー２１が動いてプラグ２２を錠軸２３と一体に回動する。すると、この錠軸２３の逆回転を、第１ギヤ２４と第２ギヤ２６の噛み合いを介して回転軸２７へ伝達してロックレバー２５をロック解除位置に回動する構造になっている。
【００１８】
そこで、ロック制御装置Ｒは、図１および図２に示すように、鍵操作用小穴１０の高さ位置において間柱１４の内側に取り付ける。そして、ピンシリンダ錠１５を間柱Ｐに開けた取付穴（図示省略）に挿入し、鍵穴３９を鍵操作用小穴１０に一致させた状態で、間柱１４に止めネジで固定してなる。
【００１９】
一方、プッシュ装置Ｐは、図８および図９に示すように、プッシュ杆４０と、圧縮コイルばね４１と、ガイド部材４２とで構成してなる。プッシュ杆４０は、樹脂製で、やや扁平な角筒形につくられ、基端にばね挿入穴４０ａを凹設する一方、片側側面におけるばね挿入穴４０ａ寄りに突状段部４０ｂを凸設してなる。ガイド部材４２は、金属板を曲げて、プッシュ杆４０の外形状に合わせチャネル状に屈曲させてガイド溝部４３を形成し、更にガイド溝部４３の両側縁から直角に曲げ広げて取付鍔部４４を形成してなる。ガイド溝部４３は、一端側を開放して開口４３ａを設ける一方、他端側には曲げ起したばね当て板部４３ｂを設け、片側の側板部の開口４３ａ寄りに、ストッパ板部４３ｃを残して切欠き穴４３ｄを開けた形状になっている。そして、プッシュ装置Ｐは、ばね一端４１ａをばね挿入穴４０ａに挿入してプッシュ杆４０に圧縮コイルばね４１を連結してから、圧縮コイルばね４１のばね他端４１ｂをばね当て板部４３ｂに突き当て、突状段部４０ｂを切欠き穴４３ｄに係合させた状態でプッシュ杆４０をガイド溝部４３に嵌め込んでガイド部材４２に組み付ける。すると、圧縮コイルばね４１でプッシュ杆４０を付勢して先端部側を開口４３ａから突出させる一方、その突状段部４０ｂをストッパ板部４３ｃに当てて止めた状態で、プッシュ杆４０をガイド部材４２のガイド溝部４３内に保持して組み立ててなる。
【００２０】
そこで、プッシュ装置Ｐは、図１に示すように、ロック制御装置Ｒの上側と下方の床面寄りに、それぞれ間柱１４の内側に取り付ける。その場合、プッシュ杆４０の先端部を間柱１４の横で開口部Ｓから外側へ臨ませて配置し、取付鍔部４４において間柱１４に止めネジで固定する。従って、プッシュ装置Ｐは、開き戸Ｄを閉止したときは、図８（Ｂ）や図１０（Ａ）でも示すように、Ｌ板状のレバー係止部１２に圧縮コイルばね４１がプッシュ杆４０を介して押圧され、開き戸Ｄを開放方向へ付勢する構造になっている。
【００２１】
さて、以上のような構成の本考案の施解錠機構において、点検口の外側から、開き戸Ｄを閉じて施錠する場合は、開き戸Ｄを、プッシュ装置Ｐの圧縮コイルばね４１のばね付勢力に抗して手で押えて、閉止状態とし、一方で、目地部ａの隙間から、鍵棒２０を、鍵穴３９に差し込んでピンシリンダ錠１５内で正方向へ錠軸２３と一体に９０度回転する。すると、錠軸２３の正回転が回転伝達手段３０で伝達されるロックレバー２５を図中横向きのロック位置へ回動し（図１１参照）、ロックレバー２５を開き戸Ｄのレバー係止部１２に掛け止める。しかる後、鍵棒２０をピンシリンダ錠１５の鍵穴３９から抜き取って施錠し、これによって開き戸Ｄをロックする。
【００２２】
一方、点検口の外側から、開き戸Ｄを解錠する場合は、同様に目地部ａの隙間から、鍵棒２０を鍵穴３９に差し込み、今度は反対に、ピンシリンダ錠１５内で逆方向へ錠軸２３と一体に９０度回転する。すると、錠軸２３の逆回転が回転伝達手段３０で伝達されるロックレバー２５を、図１２に示すように上向きのロック解除位置へ回動し、ロックレバー２５の掛け止めをレバー係止部１２から外す。すると同時に、開き戸Ｄは、プッシュ装置Ｐの圧縮コイルばね４１の外向きのばね付勢力に基づいて、プッシュ杆４０に押されて、図２（Ｂ）・図１３に示すように自動的に開放する。それから、レバー係止部１２に手を掛けて、開き戸Ｄを更に開くように操作すればよい。
【００２３】
さて反対に、点検口の内側から、開き戸Ｄを閉じて施錠する場合は、開き戸Ｄを、プッシュ装置Ｐの圧縮コイルばね４１のばね付勢力に抗し、手前に引き寄せて閉止状態とし、一方で、レバー操作用つまみ３５を摘んで、回転軸２７の細軸２８と一体に圧縮コイルばね３１に抗して手前に引き出し、カム凸部３５ｂの嵌め込みを第２ギヤ２６のカム凹部２６ｂから外す。これにより、いまピンシリンダ錠１５で回転伝達をロックして第１ギヤ２４と共に固定状態にある第２ギヤ２６から、回転軸２７をいったん外してロックを解除する。それから、レバー操作用つまみ３５を、回転軸２７と一体に正方向へ９０度回してロックレバー２５を直接ロック位置へ回動し、ロックレバー２５を開き戸Ｄのレバー係止部１２に掛け止める。しかる後、レバー操作用つまみ３５の摘みを外すと、つまみ３５を回転軸２７の細軸２９と一体に圧縮コイルばね３１の付勢力で円筒軸２８側へ引き込んで、カム凸部３５ｂを第２ギヤ２６のカム凹部２６ｂに再び嵌め込み、ピンシリンダ錠１５で回転伝達をロックしてロックレバー２５の動きを固定状態とし、これによって開き戸Ｄをロックする。
【００２４】
他方、点検口の内側から、開き戸Ｄを解錠する場合は、同様にレバー操作用つまみ３５を摘んで、回転軸２７の細軸２８と一体に圧縮コイルばね３１に抗して手前に引き出し、カム凸部３５ｂの嵌め込みを第２ギヤ２６のカム凹部２６ｂから外し、ピンシリンダ錠１５でロック状態にある第２ギヤ２６から、回転軸２７をいったん外して解除してから、レバー操作用つまみ３５を、回転軸２７と一体に逆方向へ９０度回してロックレバー２５をロック解除位置へ回動し、ロックレバー２５の掛け止めをレバー係止部１２から外す。すると同時に、プッシュ装置Ｐの圧縮コイルばね４１のばね付勢力に基づいて、開き戸Ｄがプッシュ杆４０に押されて自動的に開放する。そして更に、開き戸Ｄを押し開いて大きく開放させる。
【００２５】
ところで、上記図示実施の形態の施解錠機構において、ロック制御装置Ｒは、レバー操作用つまみ３５を摘んで操作することにより、点検口の内側からも、開き戸Ｄを施解錠できる構造であった。しかし、本考案による開き戸の施解錠機構では、以下に示す他の図示実施の形態のとおり、ロック制御装置が点検口の内側から開き戸Ｄを施解錠可能にする構成部を備えないシンプルな構造にすることもできる。なお、図示他例において、上述の図示開き戸施解錠機構中の構成部分と同一のものには、同じ符号を付して説明する。
【００２６】
他例の開き戸施解錠機構は、図１４に示すように、壁体Ｗの壁面パネルｗ１と開き戸Ｄ間の目地部ａにおいて、角パイプ状の間柱１４には、前記鍵操作用小穴１０を開けた高さ位置に、他例のロック制御装置Ｒ´を設置すると共に、ロック制御装置Ｒ´の上方に前記プッシュ装置Ｐを設置している。
【００２７】
ロック制御装置Ｒ´は、図１５および図１６に示すように、ロック構成部品として、取付プレート４５と、錠前のピンシリンダ錠５０と、専用の鍵棒２０と、開き戸Ｄの開閉をロックするロックレバー５５を備えたシンプルな構成になっている。
【００２８】
取付プレート４５は、矩形な金属板からなり、複数のねじ止め用穴の他に、略中心に貫挿穴４５ａを設けてなる。
【００２９】
ピンシリンダ錠５０は、鍵棒２０を用いて、円筒本体５０ａ内の複数本の前記ピンタンブラー２１を動かしてプラグ５１を回動する錠前構造になっている。図示他例のピンシリンダ錠５０において、特にプラグ５１は、先端部５１ａを、円柱形でなく、回転伝達可能に周面の一部が平面の異形に形成すると共に、先端面に雌ねじ穴５２を設けてなる。
【００３０】
ロックレバー５５は、細長い金属板を間柱１４の角形状に合わせて直角に曲げ成形し、取付側の基端に、プラグ嵌合穴５３を設ける一方、掛止側の先端に、Ｌ板状に曲げ起したフック部５５ａを設けてなる。特に、プラグ嵌合穴５３は、丸穴でなく、プラグ５１の先端部５１ａに合わせた平面を有した異形な穴形状に形成している。
【００３１】
そこで、ロック制御装置Ｒ´は、ピンシリンダ錠５０において、プラグ５１の異形先端部５１ａを、取付プレート４５の貫挿穴４５ａを通してプラグ嵌合穴５３に係合させてロックレバー５５に連結してから、雌ねじ穴５２に抜止めピン５４を捩じ込んで、プラグ５１にロックレバー５５を一体回転可能に連結し、図１７に示すように組み立ててなる。そして、ロック制御装置Ｒ´は、図１５に示すように、ピンシリンダ錠５０の鍵穴３９を鍵操作用小穴１０に一致させた状態で、間柱１４の内側に取付プレート４５を止めネジで固定して間柱１４に組み付けてなる。
【００３２】
さて、図示他例の開き戸施解錠機構において、点検口の外側から、開き戸Ｄを閉じて施錠する場合は、図１８に示すように、開き戸Ｄを、プッシュ装置Ｐの圧縮コイルばね４１のばね付勢力に抗して手で押えて、閉止状態とし、一方で、目地部ａの隙間から、鍵棒２０を、鍵穴に差し込んでピンシリンダ錠５０内で正方向へプラグ５１と一体に９０度回転する。すると、プラグ５１と一体にロックレバー５５が図中横向きのロック位置へ回動し、ロックレバー５５を開き戸Ｄのレバー係止部１２に掛け止める。しかる後、鍵棒２０をピンシリンダ錠５０の鍵穴から抜き取って施錠し、これによって開き戸Ｄをロックする。
【００３３】
一方、点検口の外側から、開き戸Ｄを解錠する場合は、同様に目地部ａの隙間から、鍵棒２０を鍵穴に差し込み、今度は反対に、ピンシリンダ錠５０内で逆方向へプラグ５１と一体に９０度回転する。すると、プラグ５１と一体にロックレバー５５が、図１９および図２０に示すように上向きのロック解除位置へ回動し、ロックレバー５５の掛け止めをレバー係止部１２から外す。すると同時に、開き戸Ｄは、プッシュ装置Ｐの圧縮コイルばね４１の外向きのばね付勢力に基づいて、プッシュ杆４０に押されて自動的に開放する。それから、レバー係止部１２に手を掛けて、開き戸Ｄを更に開くように操作すればよい。
【００３４】
なお、以上の図示実施の形態では、外側へ臨む鍵操作用の小穴１０を、壁面パネルｗ１と、開き戸Ｄを組み付けた壁面パネルｗ２間の目地部ａに設け、その内側にロック制御装置Ｒ・Ｒ´を設置する構成であった。しかし、本考案による開き戸の施解錠機構では、例えば図２１に示すように、開き戸Ｄ自体に外側へ臨む鍵操作用の小穴１０を設け、その小穴１０を設けた開き戸Ｄの内側に、図示しないが、ロック制御装置を設置する構成にすることもできる。また、図示省略するが、壁面パネル自体に外側へ臨む鍵操作用の小穴１０を設け、その小穴１０を設けた壁面パネルの内側にロック制御装置を設置する構成にすることもできる。
【図面の簡単な説明】
【００３５】
【図１】本考案の一例である開き戸の施解錠機構を備えた壁体を、開き戸の閉止状態において示す斜視図である。
【図２】（Ａ）は壁体を開き戸閉止状態において示し、（Ｂ）は開き戸開状態において示す平面図である。
【図３】ロック制御装置の分解斜視図である。
【図４】ロック制御装置の組立斜視図である。
【図５】ロック制御装置の内部機構を示す斜視図である。
【図６】ロック制御装置の内部機構を示す正面図である。
【図７】ロック制御装置に備えるピンシリンダ錠の内部構造を示す縦断面図である。
【図８】（Ａ）はプッシュ装置をプッシュ杆突出状態において示す斜視図、（Ｂ）はプッシュ装置をプッシュ杆押込み状態において示す斜視図である。
【図９】プッシュ装置の分解斜視図である。
【図１０】（Ａ）は開き戸閉状態において示すロック制御装置の平面図、（Ｂ）プッシュ装置で押して開き戸を開状態にしたロック制御装置を示す平面図である。
【図１１】（Ａ）はロック制御装置を、ピンシリンダ錠を鍵棒で施錠操作する状態において示す斜視図、（Ｂ）は同じ平面図である。
【図１２】ロック制御装置を、ピンシリンダ錠を鍵棒で解錠操作する状態において示す平面図である。
【図１３】壁体を開き戸の半開き状態において示す斜視図である。
【図１４】本考案の他例である開き戸の施解錠機構を備えた壁体を、開き戸の閉止状態において示す斜視図である。
【図１５】他例のロック制御装置の内部構造を組み付け状態において示す横断面図である。
【図１６】他例のロック制御装置の分解斜視図である。
【図１７】他例のロック制御装置の組立斜視図である。
【図１８】他例の施解錠機構を開き戸閉状態において示す平面図である。
【図１９】他例の施解錠機構を開き戸開状態において示す平面図である。
【図２０】他例の施解錠機構を開き戸開状態において示す斜視図である。
【図２１】開き戸に鍵操作用の小穴を開けた更に別例の施解錠機構を開き戸閉状態において示す斜視図である。
【符号の説明】
【００３６】
Ｄ                開き戸
Ｐ                プッシュ装置
Ｒ・Ｒ´          ロック制御装置
Ｓ                開口部
Ｗ                壁体
ｗ１・ｗ２・ｗ３  壁面パネル
ａ・ｂ            目地部
１０              鍵操作用の小穴
１５・５０        ピンシリンダ錠
２０              鍵棒
２５・５５        ロックレバー
２７              回転軸
３０              回転伝達手段
３９              鍵穴
４０              プッシュ杆
４１              圧縮コイルばね
４２              ガイド部材
【図１】
0003133714.tif 000003
【図２】
0003133714.tif 000004
【図３】
0003133714.tif 000005
【図４】
0003133714.tif 000006
【図５】
0003133714.tif 000007
【図６】
0003133714.tif 000008
【図７】
0003133714.tif 000009
【図８】
0003133714.tif 000010
【図９】
0003133714.tif 000011
【図１０】
0003133714.tif 000012
【図１１】
0003133714.tif 000013
【図１２】
0003133714.tif 000014
【図１３】
0003133714.tif 000015
【図１４】
0003133714.tif 000016
【図１５】
0003133714.tif 000017
【図１６】
0003133714.tif 000018
【図１７】
0003133714.tif 000019
【図１８】
0003133714.tif 000020
【図１９】
0003133714.tif 000021
【図２０】
0003133714.tif 000022
【図２１】
0003133714.tif 000023